(57)【要約】      （修正有）【課題】仰向けに寝て、背中側に左右均等的に突起を当てて敷き、指圧効果、押圧効果を得る四突起指圧器において、突起間の巾を極めて簡単に変えて使え、且つ、二突起指圧器及び肩ほぐし器としても使える四突起指圧器を提供する。【解決手段】固定突起盤２と可動突起盤４を、スライド板３でつないで作る。固定突起盤２は長形で、長方向の両側方の幅が広がっていて、対称形で、ある程度厚みのある盤の、盤面に二個の突起１を長方向の両側に並立して設け、盤の長方側部から、盤から見て直交方向に、横に突き出す形態で、掌に握りやすい幅で、細長長方形のスライド板３を設けたものである。可動突起盤４は、固定突起盤２と同形で、同じく二個の突起を設けた盤に、直交して横断貫通する、スライド穴５を設けたもので、両盤をスライド板３でつないだとき、縦横とも平行になるようにしておく。【選択図】図１
0003199751.tif 000002
【実用新案登録請求の範囲】
【請求項１】
長方向の両側の幅が広がった対称形である程度厚みがあり盤面に突起１又は膨隆二個を長方向の両側に並立して設けて長方側部の一方に長方向に対して直交方向に横に突き出す形態で細長い柄状のスライド板３を設けて盤の側部とスライド板３の側部をつないだラインが大まかな鉤状を成すようにした固定突起盤２のスライド板３を同形の盤で同様に突起１又は膨隆を二個設けて盤を横断貫通するスライド穴５を対応する部位に直交して設けた可動突起盤４のスライド穴５に差し込むことにより両盤をつなぎ可動突起盤４をスライドできるように且つ抜き外してそれぞれ単独で固定突起盤２は肩ほぐし器として可動突起盤４は二突起指圧器として使用できるようにした合成樹脂又は木（竹を含む）又は金属又はゴム（硬質ゴムエボナイトシリコンゴム等を含む）を材料にして作った指圧器。
【考案の詳細な説明】
【技術分野】
【０００１】  本考案は、仰向けに寝て、背中等に敷いて、押圧効果を得るための指圧器に関するものである。
【背景技術】
【０００２】  仰向けに寝て、背中側に左右均等的に突起又は膨隆を当てて、押圧効果を得る、四個の突起又は膨隆（以下、膨隆は省略する）を有する指圧器において、より効果を高めるために、突起二個同士間の巾を、簡単に変えられるだけでなく、二個の突起を有する部分を二つに分離して、二突起指圧器と肩ほぐし器として使えるようにしたものは無かった。
【考案の概要】
【考案が解決しようとする課題】
【０００３】  仰向けに寝て、背中側に左右均等的に突起を当てて敷き、押圧効果を得る形態の、四個の突起を有する指圧器において、より効果を高めるために、突起二個同士間の巾を極めて簡単に変えられて、且つ、二個の突起を有する部分を二つに分離して、一方は二突起指圧器として、もう一方は肩ほぐし器として使えるようにした、四突起指圧器を作る。
【課題を解決するための手段】
【０００４】（イ）  本考案は、固定突起盤２と可動突起盤４を、スライド板３でつないで作る。
（ロ）  固定突起盤２は長形で、長方向の両側の幅が広がっていて、対称形で、ある程度厚みのある盤の、盤面に二個の突起１を長方向の両側に並立して設け、盤の長方側部から、盤から見て直交方向に、横に突き出す形態で、掌に握りやすい幅で、細長長方形のスライド板３を設けたものである。
この時、盤の側部とスライド板の側部をつないだラインが大まかな鉤状を成し、盤の側部が、肩にかけやすい形状になるようにしておく。
（ハ）  可動突起盤４は、固定突起盤２と同形で、同じく二個の突起を設けた盤に、直交して横断貫通する、スライド穴５を設けたもので、両盤をスライド板３でつないだとき、縦横とも平行になるようにしておく。
（ニ）  上記のようにして作った、固定突起盤２のスライド板３を、可動突起盤４のスライド穴５に差し込んで、両盤をつないで、本考案の指圧器を作る。
（ホ）  このようにして作った本考案の指圧器においては、可動突起盤４はスライド板３に沿ってスライドできて、且つ、両盤を抜き外して、それぞれ単独で使用できる。
即ち、固定突起盤２は、肩に掛けて肩ほぐし器として、可動突起盤４は、頸椎や脊椎の両側を指圧・押圧する二個突起指圧器として使用できる。
（ヘ）  固定突起盤２の肩ほぐし器としての使用法は、スライド板の先端を下半身方向に向けて、前述の固定突起盤２の鉤状部を肩の凝った部位に掛けて、スライド板３を握って下半身方向に引くと、凝りがほぐれる。
（ト）  尚、突起の形はすべて同形で、全面又は上面が球面的な形状の曲面を成したものが適切である。
（チ）  又、両盤は、同一平面上に、スライド板３はその平面と平行になるようにしておく。
（リ）  又、本考案の指圧器においては、突起を、突起盤の片面だけでなく、両面に設けても不都合はない。
（ヌ）  尚、該指圧器は、合成樹脂、又は木（竹を含む）、又は金属、又はゴム（硬質ゴム・エボナイト・シリコンゴム等を含む）を材料にして作る。
【考案の効果】
【０００５】  本考案の使用中に、可動突起盤４を、上からでも、横からでも、下からでも簡単にスライドさせることができて、使い勝手がとても良い。
それゆえ、凝りが部位によって異なっていたり、ツボや凝りが微妙に変化したりしても、その都度、指圧器を少しずつずらしたり、両盤間の巾を簡単に調節して、適切な部位に当てて押圧できるので、常に、より気持ちに即した、より高い指圧効果・押圧効果が得られる。又、使う人が変わっても同様であり、誰にでも合う。
又、本考案は、可動突起盤４を抜き外して、両盤をそれぞれ単独で、固定突起盤２は肩ほぐし器として、可動突起盤４は二突起指圧器として使用することができ、真に重宝なものである。
又、スライド板３を肩ほぐし器の柄として、多少長くしても、突起盤間の巾を充分に広げられこそすれ、全体が大きくなりすぎて困ることはなく、寧ろ、指圧器を移動させるのに便利になる。
又、材料の量は殆んど変わらず省エネ的でもあり、四突起指圧器、二突起指圧器、肩ほぐし器を別個に作るより、はるかに材料の節約になる。
【図面の簡単な説明】
【０００６】
【図１】  本考案の見取り図である。
【図２】  固定突起盤２の見取り図である。
【図３】  可動突起盤４の見取り図である。
【図４】  固定突起盤２を肩ほぐし器として使用した時の使用状態図である。
【考案を実施するための形態】
【０００７】  本考案の指圧器を、仰向けになって、スライド板３が身体と直交する形態で、突起１が背中や尻に左右均等的に当たるように敷いて寝る。すると体重圧によって背中等が押圧されて、指圧・押圧効果が得られる。
次いで、体位はそのままで、手で指圧器を動かすなり、両盤間の巾を変えるなりして、突起１の当たる部位を変えて、指圧・押圧効果を得る。
そしてこの動作を繰り返すことにより、万遍なく、あるいは望む部位、凝った部位の指圧・押圧効果が得られる。
又、可動突起盤４を抜き外して、両盤をそれぞれ単独で使用する場合は、可動突起盤４は、二つの突起１で頸椎あるいは脊椎を挟むようにして背中側に敷いて、指圧・押圧効果を得る、二突起指圧器として使用する。
又、固定突起盤２は、盤側の鉤状部を肩に掛けて、スライド板３を下半身方向に向けて引くことにより肩をほぐす、肩ほぐし器として使用する。
【符号の説明】
【０００８】１  突起
２  固定突起盤
３  スライド板
４  可動突起盤
５  スライド穴
【図１】
0003199751.tif 000003
【図２】
0003199751.tif 000004
【図３】
0003199751.tif 000005
【図４】
0003199751.tif 000006
【手続補正書】
【提出日】平成27年7月7日(2015.7.7)
【手続補正２】
【補正対象書類名】実用新案登録請求の範囲
【補正対象項目名】請求項１
【補正方法】変更
【補正の内容】
【請求項１】
長方向の両側方の盤面の幅が広がった対称形である程度厚みがあり盤面に突起１又は膨隆二個を長方向の両側方に並立して設けて長方側部の一方に長方向に対して直交方向に横に突き出す形態で細長い柄状のスライド板３を設けて盤の側部とスライド板３の側部をつないだラインが大まかな鉤状をなすようにした固定突起盤２のスライド板３を同形の盤で同様に突起１又は膨隆を二個設けて盤を横断貫通するスライド穴５を対応する部位に直交して設けた可動突起盤４のスライド穴５に差し込むことにより両盤をつなぎ可動突起盤４をスライドできるように且つ抜き外してそれぞれ単独で固定突起盤２は肩ほぐし器として可動突起盤４は二突起指圧器として使用できるようにした片面あるいは表裏両面に突起又は膨隆を設けた合成樹脂又は木（竹を含む）又は金属又はゴム（硬質ゴムエボナイトシリコンゴム等を含む）を材料にして作った指圧器。
【手続補正３】
【補正対象書類名】明細書
【補正対象項目名】０００４
【補正方法】変更
【補正の内容】
【０００４】
（イ）  本考案は固定突起盤２と可動突起盤４をスライド板３でつないで作る。
（ロ）  固定突起盤２は長形で、長方向の両側方の幅が広がっていて、対称形で、ある程度厚みのある盤の、盤面に二個の突起１又は膨隆（以下、膨隆は省略する）を長方向の両側に並立して設け、盤の長方側部から、盤から見て直交方向に、横に突き出す形態で、掌に握りやすい幅で、細長い柄状のスライド板３を設けたものである
この時、盤の側部とスライド板３の側部をつないだラインが大まかな鉤状を成し、盤の側部が、肩に掛けやすい形状になるようにしておく。
（ハ）  可動突起盤４は、固定突起盤２と同形で、同じく二個の突起１を設けた盤に、直交して横断貫通する、スライド穴５を設けたもので、両盤をスライド板３でつないだとき、縦横とも平行になるようにしておく。
（ニ）  上記のようにして作った、固定突起盤２のスライド板３を、可動突起盤４のスライド穴５に差し込んで、両盤をつないで、本考案の指圧器を作る。
（ホ）  このようにして作った本考案の指圧器においては、可動突起盤４はスライド板３に沿ってスライドできて、且つ、両盤を抜き外して、それぞれ単独で使用できる。
即ち、固定突起盤２は、肩に掛けて肩ほぐし器として、可動突起盤４は、頸椎や脊椎の両側を指圧・押圧する二個突起指圧器として使用できる。
（ヘ）  固定突起盤２の肩ほぐし器としての使用法は、スライド板３の先端を握って下半身方向に向け、前述の固定突起盤２の鉤状部を肩の凝った部位に掛けて、スライド板３を下半身方向に引くことにより、肩の凝りをほぐす。
（ト）  尚、盤の表の面においては、突起１の形は全て同形で、全面又は上面が球面的な形状の曲面を成したものが適切である。
（チ）  又、両盤は、同一平面上に、スライド板３はその平面と平行に配位するようにしておく。
（リ）  又、本考案の指圧器においては、突起を、突起盤の片面だけではなく、両面に設けても不都合はない。
（ヌ）  又、盤の形状として、長方向の両側方の盤面の幅が広がった部分が、円形等であっても不都合はない。
（ル）  尚、該指圧器は、合成樹脂、又は木（竹を含む）、又は金属、又はゴム（硬質ゴム・エボナイト・シリコンゴム等を含む）を材料にして作る。